(57)【要約】【課題】  撮影を安定的に行なえるように、グリップした手の指１本のみを使用するとともに、撮像開始スイッチと照射開始スイッチの誤操作による弊害が少ない撮像装置のスイッチレイアウトを提供する。【解決手段】  上記の目的を実現するために、本発明における撮像装置は、  被写体照射手段と前記被写体照射手段を照射開始させる照射開始スイッチと、撮像開始スイッチを持ち、前記照射開始スイッチと前記撮像開始スイッチを操作する指と略同一方向の直線上に、前記照射開始スイッチと前記撮像開始スイッチが配置され、前記撮像開始スイッチは前記照射開始スイッチよりも使用者の手掌部に近い側に配置されることを特徴とする。【選択図】  図１
2007174203.tif 000002
【特許請求の範囲】
【請求項１】
被写体照射手段と前記被写体照射手段を照射開始させる照射開始スイッチと、撮像開始スイッチを持つ撮像装置に於いて、前記照射開始スイッチと前記撮像開始スイッチを操作する指と略同一方向の直線上に、前記照射開始スイッチと前記撮像開始スイッチが配置され、前記撮像開始スイッチは前記照射開始スイッチよりも使用者の手掌部に近い側に配置されることを特徴とする前記撮像装置。
【請求項２】
請求項１の撮像装置に於いて、前記撮像装置が画角変更機能を持つ時、前記画角変更機能を指示する操作手段の操作方向が、前記照射開始スイッチと撮像開始スイッチが配置された直線と略平行な方向に配置されることを特徴とする、請求項１の撮像装置。
【発明の詳細な説明】
【技術分野】
【０００１】
本発明は、撮像開始スイッチと照明手段の照射開始スイッチを持つ撮像装置に関する。
【背景技術】
【０００２】
近年、デジタルカメラやデジタルビデオカメラに代表される撮像装置に於いて、白色ＬＥＤを被写体照射手段として持つ製品が市場に登場している。そして、この白色ＬＥＤは露出不足を自動的に補う機能に使用するだけでなく、発光のＯＮ／ＯＦＦを操作するスイッチを備えることで、強制的に発光状態を維持するようになされた製品もある（例えば非文献１参照）。
【非特許文献１】キヤノン株式会社デジタルビデオカメラ総合カタログ２００５年７月版  ８ページ中段
【発明の開示】
【発明が解決しようとする課題】
【０００３】
上記従来技術に於いて、例えば文献１のビデオカメラは、発光をＯＮ／ＯＦＦするボタンがグリップ面の中心付近にあるため、製品を把持した手の指で当該スイッチを操作することは不可能であった。そのため、白色ＬＥＤの強制発光をさせるためにはグリップしていない方の手を使用して前記発光をＯＮ／ＯＦＦさせるスイッチを押圧する必要があるので、撮影が不安定になるという欠点があった。
【０００４】
また、グリップした手の指１本だけで操作できるよう、単純に照明手段の照射開始スイッチをグリップした手の指先付近に配置してしまう。そうすると、同様に指先付近に配置することが望ましいスイッチ、例えば撮像開始スイッチ（トリガーボタン・レリーズボタン等）との位置関係が原因で、誤操作を引起す原因になるという問題がある。
【０００５】
上記のような技術背景を鑑みて、本発明の目的は、撮影を安定的に行なえるように、グリップした手の指１本のみを使用するとともに、撮像開始スイッチと照射開始スイッチの誤操作による弊害が少ない撮像装置のスイッチレイアウトを提供することとする。
【課題を解決するための手段】
【０００６】
上記の目的を実現するために、本発明における撮像装置は、
被写体照射手段と前記被写体照射手段を照射開始させる照射開始スイッチと、撮像開始スイッチを持つ撮像装置に於いて、前記照射開始スイッチと前記撮像開始スイッチを操作する指と略同一方向の直線上に、前記照射開始スイッチと前記撮像開始スイッチが配置され、前記撮像開始スイッチは前記照射開始スイッチよりも使用者の手掌部に近い側に配置されることを特徴としている。
【０００７】
また、前記撮像装置が画角変更機能を持つ時、前記画角変更機能を指示する操作手段の操作方向が、前記照射開始スイッチと撮像開始スイッチが配置された直線と略平行な方向に配置されることを特徴としている。
【発明の効果】
【０００８】
以上、説明したように、本発明における撮像装置は、撮影を安定的に行なえるように、グリップした手の指１本のみを使用するとともに、撮像開始スイッチと照射開始スイッチの誤操作による弊害が少ない撮像装置のスイッチレイアウトを提供することができる。
【発明を実施するための最良の形態】
【０００９】
（第１の実施例）
図１は第１の実施例におけるデジタルビデオカメラ１０１の外観斜視図である。
【００１０】
図２は図１に示すデジタルビデオカメラ１０１のスイッチ部周辺を示した模式図である。
【００１１】
まず、デジタルビデオカメラ１０１の構成について説明する。１０２はズーム機能を有した撮影レンズである。側面１０３をグリップ面１０３と定義するとき、このグリップ面１０３を使用者の手１０４が図に示す通り把持する。製品正面、つまり撮影レンズ１０２と略同一面に白色ＬＥＤ照明１０５が配置されている。製品上面を図１の上側とした時、製品左側上面部の製品背面に近い側に撮像開始スイッチ１０６と照射開始スイッチ１０７が配されている。この、撮像開始スイッチ１０６と照射開始スイッチ１０７は使用者の第２指（人差し指）で操作する。本実施例では第２指（人差し指）で操作されるように構成するが、本発明が適応できる構成はこの限りではない。撮像開始スイッチ１０６と照射開始スイッチ１０７は使用者の人差し指１１０と略同一方向の直線１０９上にある。そして図のように、使用者の手掌部が存在するグリップ面１０３と近接する側に撮像開始スイッチ１０６がレイアウトされ、照射開始スイッチ１０７は遠い側にレイアウトされている。また、撮像開始スイッチ１０６と照射開始スイッチ１０７が並ぶ直線と略平行な方向に操作するズームスイッチ１０８が撮像開始スイッチ１０６と照射開始スイッチ１０７よりも製品正面側に、両スイッチと近接してレイアウトされている。このようにレイアウトすることで、デジタルビデオカメラ１０１の使用者は、第２指（人差し指）１本で、撮像開始スイッチ１０６及び照射開始スイッチ１０７、ズームスイッチ１０８を操作することが可能になる。片手の１本の指で操作が可能なので、把持箇所の持ち替えが不要な上、把持に用いない反対側の手を使って筐体を支えることができる。したがって、手ぶれなどが少なく、撮像を安定的に行なうことが可能である。
【００１２】
次に、デジタルビデオカメラ１０１の使用者が実際に撮像及び白色ＬＥＤ照射を行なう動作と、その動作に伴うデジタルビデオカメラ１０１の動作について説明する。使用者が撮像を行なおうとする時、撮像開始スイッチ１０６を押圧する。撮像開始スイッチ１０６が押圧されると、撮像レンズ１０２から入射した被写体像を図示しない撮像素子からデジタルビデオカメラ１０１の信号処理回路を通して、記録媒体に記録する。撮像素子はＣＣＤやＣＭＯＳ、記録媒体はテープやメモリー、ハードディスク等だが、本発明が適用できる撮像素子及び記録媒体はこの限りではない。また、使用者が白色ＬＥＤ１０５を被写体に照射したい時は、照射開始スイッチ１０７を押圧する。照射開始スイッチが押圧されると、デジタルビデオカメラ１０１の信号処理回路を通して、白色ＬＥＤ１０５を発光させる信号が発せられる。また、ズームスイッチ１０８を操作すると、撮像レンズ１０２のズーム機能により画角を変更できる他、デジタルズームの指示を行なうことができる。
【００１３】
図３にはデジタルビデオカメラ１０１の使用者がスイッチを押圧する製品背面図を示す。
【００１４】
本発明におけるスイッチのレイアウトは使用者の片手、指一本で操作が可能であることを特徴としている。しかし、各々のスイッチが隣接しているため、同時に押してしまうという誤動作の危険がある。このような危険性を鑑みて、デジタルビデオカメラ１０１のスイッチレイアウトは、誤動作における弊害が少ないレイアウトであることを特徴としている。使用者が撮像開始スイッチ１０６を押圧する時には、使用者の第２指（人差し指）１１０の末節先端（指の腹部）３０１で押圧を行なう。この動作の際は特に誤動作は起きない。次に、使用者が照射開始スイッチを押圧する時、第２指（人差し指）１１０の末節先端３０１で照射開始スイッチを押圧すると、第２指の第１関節から中節３０２にかけた部分が撮像開始スイッチ１０６を押圧する場合がある。
【００１５】
しかし、仮にグリップ面との位置関係が逆のレイアウトで、撮像開始スイッチ１０６を押圧しようとして、同時に照射開始スイッチ１０７を押圧してしまうと、使用者が意図しない撮像画像になってしまう。例えば、動物の写真を撮像しようとして、同時に白色ＬＥＤが照射されてしまうと、動物が逃げて行く可能性がある。また、人物の写真を撮像しようとしているときに同時に白色ＬＥＤが照射されてしまうと目を閉じてしまう可能性がある。このように、せっかくのシャッターチャンスに撮像開始スイッチ１０６と照射開始スイッチ１０７が同時に押圧され、撮像と同時に白色ＬＥＤが照射されてしまうとデジタルビデオカメラの使用者が意図していた撮像画像と異なる画像になってしまい弊害が大きい。
【００１６】
以上の弊害に比較して、白色ＬＥＤを照射するために照射開始スイッチ１０７を押圧して、同時に撮像開始スイッチ１０６が押圧されたとしても、撮像画像が余分に記録されるだけである。この誤操作であれば余分に記録された画像を後から消せば済む。
【００１７】
したがって、使用者の手掌部と近接する側に撮像開始スイッチ１０６がレイアウトされ、照射開始スイッチ１０７は遠い側にレイアウトすることによって、誤操作による弊害が少ないスイッチレイアウトを実現することができる。
【図面の簡単な説明】
【００１８】
【図１】デジタルビデオカメラ１０１の外観斜視図
【図２】デジタルビデオカメラ１０１のスイッチ周辺模式図
【図３】デジタルビデオカメラ１０１の使用者がスイッチを押圧する製品背面図
【符号の説明】
【００１９】
１０１  デジタルビデオカメラ
１０２  撮像レンズ
１０３  グリップ面
１０４  使用者の手
１０５  白色ＬＥＤ
１０６  撮像開始スイッチ
１０７  照射開始スイッチ
１０８  ズームスイッチ
１０９  第２指（人差し指）と略同一方向の直線
１１０  使用者の第２指（人差し指）
３０１  第２指の末節
３０２  第２指の中節
【図１】
2007174203.tif 000003
【図２】
2007174203.tif 000004
【図３】
2007174203.tif 000005